(57)【要約】【課題】加湿のための水分を室外空気から得る空気調和機において加湿能力を向上させる。【解決手段】空気調和機１０は、冷媒回路に接続される室外熱交換器３３と、室外熱交換器３３を通過する気流を発生させるための室外ファン３９と、室外熱交換器３３を通過した空気が流れる吸着ロータ６３を有する加湿ユニット６０とを備えている。室外ファン３９は、冷媒回路のデフロスト運転の期間のうちの少なくとも一部期間において、室外熱交換器３３を通過して吸着ロータ６３に空気が流れるように気流を発生させる。【選択図】図１
2016114344.tif 000002
【特許請求の範囲】
【請求項１】
冷媒回路に接続される室外熱交換器（３３）と、
前記室外熱交換器を通過する気流を発生させるための室外ファン（３９）と、
前記室外熱交換器を通過した空気が流れる吸着体（６３）を有する加湿ユニット（６０）と
を備え、
前記室外ファンは、前記冷媒回路のデフロスト運転の期間のうちの少なくとも一部期間において、前記室外熱交換器を通過して前記吸着体に空気が流れるように気流を発生させる、空気調和機。
【請求項２】
前記デフロスト運転は、暖房時に前記冷媒回路の冷媒循環を切り換えて前記室外熱交換器を放熱器として用いる逆サイクルデフロスト運転であり、
前記加湿ユニットは、前記逆サイクルデフロスト運転を行なった直後に加湿運転を行なう、
請求項１に記載の空気調和機。
【請求項３】
前記加湿ユニットは、前記吸着体として吸着ロータを有し、前記逆サイクルデフロスト運転の期間中に、前記吸着ロータから水分を脱離させる動作を止めた状態で前記吸着ロータ（６３）を回転させる、
請求項２に記載の空気調和機。
【請求項４】
前記加湿ユニットは、前記吸着ロータから水分を脱離させる動作を止めた状態で前記吸着ロータを回転させているときに、室内側に向かって加湿された空気を送り出す送出しファン（７５）を停止させる、
請求項３に記載の空気調和機。
【請求項５】
前記デフロスト運転は、暖房時に前記冷媒回路の冷媒循環を切り換えずに前記室外熱交換器に流れる冷媒の温度を高める正サイクルデフロスト運転であり、
前記加湿ユニットは、前記正サイクルデフロスト運転が行なわれる期間に加湿運転を行なう、
請求項１に記載の空気調和機。
【請求項６】
前記加湿ユニットは、前記室外熱交換器と前記室外ファンが配置されている送風機室（Ｓ１）に前記吸着体の一部を露出した露出部分を前記吸着体が有し、当該露出部分で水分の吸着を行うように構成されている、
請求項１から５のいずれか一項に記載の空気調和機。
【発明の詳細な説明】
【技術分野】
【０００１】
本発明は、空気調和機、特に、加湿機能を持つ空気調和機に関する。
【背景技術】
【０００２】
従来の空気調和機の中には、特許文献１（特開２００８−１９０８２８号公報）に開示されているように、室内空気を加湿するための水分を室外空気から取り込むための装置を室外機に持つものがある。例えば特許文献１に記載されている室外機では、室外空気から吸着体に水分を吸着させることによって水分を集め、吸着体から脱離させた水分を室内機に供給する構成が採用されている。
【発明の概要】
【発明が解決しようとする課題】
【０００３】
しかし、特許文献１に記載されているように、吸着体に室外空気の水分を吸着させる構成では、吸着量が室外空気に含まれる水分量に左右されるため、加湿性能も室外空気に含まれる水分量に依存する。このような吸着体を使った場合には、吸着体に吸着される水分の吸着量の限度も室外空気に含まれる水分量によって決まるため、必要な加湿能力が得られなくなることがある。
【０００４】
そこで、本発明の課題は、加湿のための水分を室外空気から得る空気調和機において加湿能力を向上させることである。
【課題を解決するための手段】
【０００５】
本発明の第１観点に係る空気調和機は、冷媒回路に接続される室外熱交換器と、室外熱交換器を通過する気流を発生させるための室外ファンと、室外熱交換器を通過した空気が流れる吸着体を有する加湿ユニットとを備え、室外ファンは、冷媒回路のデフロスト運転の期間のうちの少なくとも一部期間において、室外熱交換器を通過して吸着体に空気が流れるように気流を発生させる。
【０００６】
第１観点に係る空気調和機において、冷媒回路のデフロスト運転時に、室外ファンが室外熱交換器を通過する気流を発生させるので、加湿能力が必要な所定時に、デフロスト運転中に室外ファンを回して吸着体への吸着量を増やすことができ、加湿のための水分を室外空気から得る空気調和機において加湿能力を向上させることができる。
【０００７】
本発明の第２観点に係る空気調和機は、第１観点の空気調和機において、デフロスト運転は、暖房運転時に冷媒回路の冷媒循環を切り換えて室外熱交換器を放熱器として用いる逆サイクルデフロスト運転であり、加湿ユニットは、逆サイクルデフロスト運転を行なった直後に加湿運転を行なう、ものである。
【０００８】
第２観点に係る空気調和機において、逆サイクルデフロスト運転を行なった直後に加湿運転を行なうので、逆デフロスト運転で霜が融けて生じる水分によって空気中に含まれる水分量が増加した室外空気を室外熱交換器に通過させることができる。
【０００９】
本発明の第３観点に係る空気調和機は、第２観点の空気調和機において、加湿ユニットは、吸着体として吸着ロータを有し、逆サイクルデフロスト運転の期間中に、吸着ロータから水分を脱離させる動作を止めた状態で吸着ロータを回転させる、ものである。
【００１０】
第３観点に係る空気調和機において、逆サイクルデフロスト運転の期間中に、吸着ロータから水分を脱離させる動作を止めた状態で吸着ロータを回転させるので、吸着ロータの全体に多くの水分を貯えることができる。
【００１１】
本発明の第４観点に係る空気調和機は、第３観点の空気調和機において、加湿ユニットは、吸着ロータから水分を脱離させる動作を止めた状態で吸着ロータを回転させているときに、室内側に向かって加湿された空気を送り出す送出しファンを停止させる、ものである。
【００１２】
第４観点に係る空気調和機において、吸着ロータから水分を脱離させる動作を止めた状態でもある程度の水分の脱離が生じるが、吸着ロータから水分を脱離させる動作を止めた状態で吸着ロータを回転させているときに、室内側に向かって加湿された空気を送り出す送出しファンを停止させるので、吸着ロータから室内側に向かって湿度の高い空気が流れるのを防止できる。
【００１３】
本発明の第５観点に係る空気調和機は、第１観点の空気調和機において、デフロスト運転は、暖房運転時に冷媒回路の冷媒循環を切り換えずに室外熱交換器に流れる冷媒の温度を高める正サイクルデフロスト運転であり、加湿ユニットは、正サイクルデフロスト運転が行なわれる期間に加湿運転を行なう、ものである。
【００１４】
第５観点に係る空気調和機において、加湿ユニットが正サイクルデフロスト運転期間中に加湿運転を行なうので、正サイクルデフロストで室外熱交換器に生じた水分を室外空気に含ませて加湿ユニットに与えることができる。
【００１５】
本発明の第６観点に係る空気調和機は、第1観点から第５観点のいずれかの空気調和機において、加湿ユニットは、室外熱交換器と室外ファンが配置されている送風機室に吸着体の一部を露出した露出部分を吸着体が有し、当該露出部分で水分の吸着を行うように構成されている、ものである。
【００１６】
第６観点に係る空気調和機において、吸着体が送風機室に露出した露出部分で水分の吸着を行うので、デフロスト運転の一部期間に室外ファンを駆動するだけで室外熱交換器を通過して吸着体に空気が流れるような気流をデフロスト運転の一部期間に発生させることができる。
【発明の効果】
【００１７】
本発明の第１観点に係る空気調和機では、加湿のために室外空気から得る水分を増やして加湿能力を向上させることができる。
【００１８】
本発明の第２観点に係る空気調和機では、空気中の水分量が多いときに加湿運転をして高い加湿能力を発揮させることができる。
【００１９】
本発明の第３観点に係る空気調和機では、吸着体への水分の吸着量を増やして、加湿能力を向上させることができる。
【００２０】
本発明の第４観点に係る空気調和機では、空気中の水分量が多くなっても、送出しファンの下流側で結露が生じるのを防止することができる。
【００２１】
本発明の第５観点に係る空気調和機では、加湿ユニットに高い加湿能力を発揮させことができる。
【００２２】
本発明の第６観点に係る空気調和機では、加湿能力の向上を図るためのコストを削減できる。
【図面の簡単な説明】
【００２３】
【図１】本発明の第１実施形態に係る室外機を備える空気調和機の概略冷媒回路図。
【図２】本発明の第１実施形態に係る室外機の主要部の正面図。
【図３】本発明の第１実施形態に係る室外機の主要部の斜視図。
【図４】本発明の第１実施形態に係る室外機の主要部の平面図。
【図５】加湿ユニットの分解図。
【図６】加湿ロータにおける空気流れを説明するための図。
【図７】制御系統を説明するためのブロック図。
【図８】デフロスト運転時の室外ファンの動作の一例を示すタイミングチャート。
【図９】デフロスト運転時の室外ファン及び加湿ユニットの動作を説明するためのタイミングチャート。
【図１０】本発明の第２実施形態に係る室外機を備える空気調和機の概略冷媒回路図。
【図１１】デフロスト運転時の室外ファン及び加湿ユニットの動作を説明するためのタイミングチャート。
【発明を実施するための形態】
【００２４】
＜第１実施形態＞
（１）全体構成
本発明の第１実施形態に係る室外機３０を備える空気調和機１０は、図１に示すように、室外機３０の他に、室内機２０を備えており、室内機２０と室外機３０とが連絡配管１２によって接続されて構成されている。この空気調和機１０は、冷房運転、暖房運転、加湿運転及び換気運転などの複数の運転モードを有しており、これらの運転モードを適宜組み合わせることもできる。
【００２５】
冷房運転及び暖房運転では、室内の空気を冷やしたり温めたりするため、室内機２０及び室外機３０でそれぞれ熱交換が行われ、連絡配管１２を通して室内機２０と室外機３０との間で熱の移動がある。このような熱交換と熱の移動とを行わせるために、空気調和機１０は、図１に示すような冷媒回路を有している。冷媒回路には、主に、圧縮機３１、四路切換弁３２、室外熱交換器３３、膨張機構３４及び室内熱交換器２１が接続されている。室内熱交換器２１は、室内機２０に設けられており、圧縮機３１、四路切換弁３２、室外熱交換器３３及び膨張機構３４は、室外機３０に設けられている。そして、連絡配管１２の中には、室内機２０と室外機３０とを実質的に接続している液冷媒配管１４及びガス冷媒配管１６が通っている。
【００２６】
また、加湿運転及び換気運転では、室内に外気を供給するため、連絡配管１２の中を通る給気ダクト１８を介して室外機３０から室内機２０への空気の移動がある。特に、加湿運転では、水分を多く含んだ湿度の高い空気を室外機３０から室内機２０に供給するため、室外機３０において外気から水分を積極的に取り込む。このため、室外機３０は、外気から水分を取り込む機能を有する加湿ユニット６０を備えている。
【００２７】
（１−１）冷媒回路の動作
冷媒回路の動作は従来からあるものと変わらないが、図１に示す冷媒回路の動作について簡単に説明する。
【００２８】
冷房運転時には、四路切換弁３２が図１に示す実線の状態に接続されており、圧縮機３１で圧縮されて吐出された冷媒が四路切換弁３２を介して室外熱交換器３３に送られる。室外熱交換器３３で外気との熱交換が行われて熱を奪われた冷媒は、膨張機構３４に送られる。高圧液状の冷媒が膨張機構３４で低圧状態に変化する。膨張機構３４で膨張した冷媒は、フィルタ３５を介して液閉鎖弁３７及び液冷媒配管１４を通って室内熱交換器２１に入る。室内熱交換器２１で室内空気との熱交換が行われて熱を奪って温度が上昇した冷媒は、ガス冷媒配管１６及びガス閉鎖弁３８を通って四路切換弁３２に送られる。四路切換弁３２はガス閉鎖弁３８とアキュムレータ３６とが接続された状態であるため、ガス冷媒配管１６を通って室内熱交換器２１から送られてきた冷媒は、アキュムレータ３６を介して圧縮機３１に送られ圧縮機３１に吸入される。
【００２９】
暖房運転時には、四路切換弁３２が図１に示す破線の状態に接続されており、圧縮機３１で圧縮されて吐出された冷媒が室内熱交換器２１に送られる。そして、冷房運転時とは逆の経路をたどって、室外熱交換器３３を出た冷媒は圧縮機３１に戻ってくる。つまり、暖房運転時には、圧縮機３１、四路切換弁３２、ガス冷媒配管１６、室内熱交換器２１、液冷媒配管１４、膨張機構３４、室外熱交換器３３、四路切換弁３２、アキュムレータ３６及び圧縮機３１の順に冷媒が循環する。
【００３０】
また、主に暖房運転時において、室外熱交換器３３についた霜を取るためにデフロスト運転が行なわれる。デフロスト運転の時期を設定するには幾つかの方法があるが、いずれの方法でも、できる限り室外熱交換器３３に霜が着いたときに行われるように次期デフロスト運転の時期が設定される。この空気調和機１０では、逆サイクルデフロスト運転が行なわれる。逆サイクルデフロスト運転では、暖房運転時とは逆の冷媒の流れ、つまり冷房運転時と同じ方向に冷媒を流している。このように、冷房運転時と同じ方向に冷媒を流すことで、逆サイクルデフロスト運転では、圧縮機３１から吐出された高温のガス冷媒を室外熱交換器３３に流して、室外熱交換器３３の除霜を行う。
【００３１】
（２）詳細構成
（２−１）室内機２０の構成
室内機２０には、室内熱交換器２１の他に、図１に示すように、モータで駆動される室内ファン２２が室内熱交換器２１の下流側に設けられている。室内ファン２２としては、例えばクロスフローファンが採用される。室内ファン２２が駆動されると、室内機２０上部の吸込口２３から吸い込まれた室内空気が、室内熱交換器２１を通過して室内機２０下部の吹出口２４から吹き出される。
【００３２】
また、室内機２０には、給気ダクト１８の給気口２５が、室内熱交換器２１の上流側空間に設けられている。給気ダクト１８は加湿ユニット６０に接続されており、加湿ユニット６０から送られてくる空気が給気口２５から室内熱交換器２１の上流側空間に供給される。そして、加湿ユニット６０から送られてくる空気が湿度の高い空気である場合、該空気が給気口２５から供給されている状態で室内ファン２２を駆動することにより、室内機２０の吹出口２４から吹き出される調和空気の湿度を高くすることができる。このとき同時に室内熱交換器２１を凝縮器として用いることで、室内機２０に、加湿運転と暖房運転を同時に行わせることができる。
【００３３】
（２−２）室外機３０の構成
（２−２−１）室外機３０の構成の概要
室外機３０は、ケーシング４０を備えている。そして、図１に示すように、ケーシング４０の内部は、仕切板４３によって送風機室Ｓ１と機械室Ｓ２とに分けられている。室外機３０では、送風機室Ｓ１から機械室Ｓ２に風が回り込まないように、送風機室Ｓ１と機械室Ｓ２とが仕切板４３によって遮蔽されている。
【００３４】
室外機３０には、冷媒回路を構成する上述の機器や加湿ユニット６０の他に、室外ファン３９が室外熱交換器３３の前方に配設されている。なお、図１に示すように、室外ファン３９及び室外熱交換器３３は送風機室Ｓ１に配置されており、圧縮機３１、四路切換弁３２、膨張機構３４及びアキュムレータ３６は、機械室Ｓ２に配置されている。
【００３５】
（２−２−２）ケーシング４０
図２は、室外機３０の正面図であり、室外機３０から電装品箱５０、グリル及び前板４６の一部が取り外された状態を示している。図３は、室外機３０の斜視図であり、電装品箱５０の本体５１、グリル及び天板４８が取り外された室外機３０において、図２で取り外されている前板４６の一部を仮想面とした状態を示している。図４は、室外機３０の平面図であり、室外機３０の天板４８が取外された状態を示している。なお、図４に記載の矢印は、吸着ロータ６３の吸湿領域６３ａを通る空気の流れを示している。
【００３６】
室外機３０のケーシング４０は、図２、図３及び図４に示すように、前板４６、左側板４５、右側板４７、天板４８及び底板４９を備えている。
【００３７】
前板４６には、図２及び図３に示すように、円形の吹出口４４が形成されており、吹出口４４の周囲にリング状のベルマウス４６ａが取り付けられている。また、吹出口４４の前面側は、グリル（図示せず）で覆われており、後述する室外ファン３９のプロペラ３９ｂが室外機３０の外部にある物と接触しないよう構成されている。グリルは、ケーシング４０の前板４６に取り付けられている。
【００３８】
また、左側板４５は、図３に示すように、格子形状に成形されており、左側方から室外熱交換器３３に外気を導くことができる。右側板４７は、後述する室外熱交換器３３の第２部分３３ｂの右端から右側面に至る後面の一部及び右側面全体を構成している。
【００３９】
なお、送風機室Ｓ１の後側には、室外熱交換器３３の第２部分３３ｂを覆う保護金網が取り付けられている。図示省略されているが、保護金網には、室外熱交換器３３の第２部分３３ｂに外気を導くための開口が形成されている。
【００４０】
また、本実施形態では、右側板４７には、後述する放湿経路の入口となる吸入口７２が形成されている。
【００４１】
仕切板４３は、図４に示すように、室外熱交換器３３の右端から前方に向かって延びるとともに、底板４９から上方に延びている。この仕切板４３を境として、ケーシング４０の内部は左右に並ぶ送風機室Ｓ１と機械室Ｓ２とに分かれている。また、仕切板４３の後部は、底板４９から天板４８まで延びている。一方、仕切板４３の前部及び中央部には、上縁から下方に向かって切り欠かれた開口部４３ａが形成されている（図３及び図４参照）。開口部４３ａには、後述する加湿ユニット６０の一部及び電装品箱５０の一部が配置される。本体５１には、室外機３０の備える各種機器を駆動するための電子部品を集約した制御基板（図示せず）が搭載されている。電装品箱５０の制御基板には、例えばマイクロコンピュータが実装されている。マイクロコンピュータとその周辺回路により図７に示す制御部８０が形成されている。この制御部８０により、圧縮機３１、四路切換弁３２、膨張機構３４、室外ファン３９のファンモータ３９ａ、加湿ユニット６０のロータ駆動モータ６５、加湿ユニット６０のロータ駆動モータ６５及びターボファン７５のファンモータ７５ａが制御される。
【００４２】
（２−２−３）室外熱交換器３３
室外熱交換器３３は、図３及び図４に示すように、上面視Ｌ型の形状を呈しており、ケーシング４０の左側板４５に正対する第１部分３３ａと、ケーシング４０の背面を構成する保護金網に正対する第２部分３３ｂとを有する。
【００４３】
また、室外熱交換器３３は、底板４９から天板４８に達する背丈を持っている。そして、室外熱交換器３３は、高さ方向に長く延びる多数のフィンと、フィンを貫いて水平に取り付けられている伝熱管とを有している。伝熱管は、室外熱交換器３３の両端部で複数回折り返されることによって高さ方向に多数列配置されている。
【００４４】
（２−２−４）室外ファン３９
室外ファン３９は、室外熱交換器３３の背面側（後方側）から室外熱交換器３３を通して吸い込まれた外気を、室外機３０の正面側（前方側）に吹き出させるファンであって、本実施形態では、プロペラファンである。室外ファン３９は、ファンモータ３９ａと、ファンモータ３９ａによって駆動されるプロペラ３９ｂを有する。プロペラ３９ｂは、その一部がベルマウス４６ａで囲まれた空間内に入るように配置されている。また、ファンモータ３９ａはプロペラ３９ｂの背面側に取り付けられており、プロペラ３９ｂの回転軸とファンモータ３９ａの駆動軸とが結合されている。
【００４５】
（２−２−５）加湿ユニット６０
図５は、加湿ユニット６０の分解図である。加湿ユニット６０は、吸湿経路と放湿経路とを有しており、吸湿経路が室外機３０の送風機室Ｓ１に、放湿経路が室外機３０の機械室Ｓ２に位置するように配設されている。
【００４６】
加湿ユニット６０は、主に、吸着ロータ６３と、ヒータ７１と、ターボファン７５と、を備えている。そして、吸着ロータ６３の一部が吸湿経路に配置されており、吸着ロータ６３の他部、ヒータ７１及びターボファン７５が放湿経路に配置されている。また、吸着ロータ６３、ヒータ７１及びターボファン７５は、フレーム７０に固定されている。より詳しくは、ヒータ７１及び吸着ロータ６３は支持板７３に固定されており、支持板７３がフレーム７０の背面側に取り付けられている（図５参照）。また、ターボファン７５は、支持板７３が取り付けられている面とは反対側のフレーム７０の正面側に取り付けられている（図５参照）。
【００４７】
（２−２−５−１）吸着ロータ６３
吸着ロータ６３は、１つの板状の吸放湿材である。なお、吸着ロータ６３の形状は板状であればどのような形状であってもよい。本実施形態では、吸着ロータ６３は、円盤状を呈するものとする。また、ここでいう１つの板状の吸放湿材には、単体の板状の吸放湿材が吸着ロータ６３を構成しているものの他、同一形状又は異なる形状の吸放湿材が複数組み合わされて１つの板状の吸着ロータ６３を構成しているものも含まれる。吸着ロータ６３は、ゼオライト等の焼成によって形成されたハニカム構造のゼオライトロータである。吸着ロータ６３は、円盤の中心を回転軸として回転するように取り付けられ、吸着ロータ６３の周囲に設けられているギア６４に伝達されるロータ駆動モータ６５の動力によって回転駆動される。
【００４８】
吸着ロータ６３を形成しているゼオライト等の吸着剤は、例えば常温で空気から吸湿し、ヒータ７１などで高温に加熱された空気により常温よりも高い温度になることによって放湿するという性質を持っている。すなわち、吸着ロータ６３のうちの高温の空気にさらされていない領域が外気中から水分を吸着する吸湿領域６３ａになり、高温の空気にさらされている領域が吸着した水分を放出する放湿領域６３ｂになる。
【００４９】
また、吸着ロータ６３は、回転軸が前後方向に延びるように配置されている。すなわち、吸着ロータ６３は、鉛直面に沿って配備されている。なお、ここでいう吸着ロータ６３が鉛直面に沿って配備されているとは、吸着ロータ６３が鉛直面に対して全く傾斜していないものから、吸着ロータ６３が鉛直面に対して±１５°程度傾いて配置されているものまで含まれる。そして、本実施形態の吸着ロータ６３は、鉛直面に対して全く傾いていないものとする。このため、吸着ロータ６３は、前後方向に場所を取らないように幅方向（厚さ方向）が前後に延びる縦置きの配置となっている。
【００５０】
さらに、図１に示すように、吸着ロータ６３の吸湿領域６３ａが室外機３０の送風機室Ｓ１に位置し、吸着ロータ６３の放湿領域６３ｂが室外機３０の機械室Ｓ２に位置するように、吸着ロータ６３は仕切板４３の開口部４３ａ（図４参照）に配置されている。なお、本実施形態の吸着ロータ６３の吸湿領域６３ａは、送風機室Ｓ１の室外熱交換器３３と室外ファン３９との間に配置されており、室外熱交換器３３の第２部分３３ｂの前方に、室外熱交換器３３の第２部分３３ｂに正対するように隙間を空けて配置されている。このため、吸着ロータ６３の吸湿領域６３ａが室外熱交換器３３を通過する送風経路に掛かっており、この部分が吸湿経路となる。すなわち、吸着ロータ６３の吸湿領域６３ａが、吸湿経路内に配置されている。一方、吸着ロータ６３の放湿領域６３ｂは、放湿経路内に配置されている。
【００５１】
（２−２−５−２）ヒータ７１
ヒータ７１は、吸着ロータ６３の放湿領域６３ｂの側方に設けられている。ヒータ７１は、筒状の筐体の中に電熱線（図示省略）が設けられた構造であり、吸入口７２から吸入されて吸着ロータ６３に送られる外気を電熱線で加熱する。吸着ロータ６３では、吸着ロータ６３のハニカム構造の開口を加熱された空気が通り抜けるときに、吸着ロータ６３から放湿されることで、ターボファン７５に吸い込まれる空気が加湿される。
【００５２】
ヒータ７１は、図５に示すように、ヒータ支持部材７４に取り付けられている。ヒータ支持部材７４は、半円状の基部７４ａと、基部７４ａの周縁部から立設する外壁部７４ｂとを有し、側方（吸着ロータ６３側）が解放されている。そして、ヒータ７１はヒータ支持部材７４に覆われるように、基部７４ａに取り付けられている。ヒータ支持部材７４は、放湿経路の一部を構成している。なお、ヒータ７１の筐体及びヒータ支持部材７４は、耐熱性を必要とするため板金によって形成されている。また、ヒータ７１は、室外機３０の機械室Ｓ２に設置されており、吸着ロータ６３を挟んで電装品箱５０とは反対側に配置されている。
【００５３】
（２−２−５−３）ターボファン７５
ターボファン７５は、室外機３０から室内機２０へと向かう空気流れを生成する。また、ターボファン７５は、吸着ロータ６３を挟んでヒータ７１と対向ように配置されている。そして、電装品箱５０は、ターボファン７５及び吸着ロータ６３を挟んでヒータ７１とは反対側に配置されている。さらに、ターボファン７５は、図２や図４に示すように、機械室Ｓ２に設置されている。
【００５４】
ターボファン７５は、ファンモータ７５ａと、ファンモータ７５ａによって駆動される羽根車７５ｂと、羽根車７５ｂを収納するファンケーシング７５ｃと、を有しており、羽根車７５ｂの回転軸方向から吸入した空気を径方向外側に向かって吹き出す。なお、室外機３０において、羽根車７５ｂの回転軸は前後方向に延びるように配置されている。このため、ターボファン７５は、前後方向に場所を取らない縦置きの配置となっている。また、ターボファン７５の吸込部７６は、後方に開口している。また、ターボファン７５の吐出部７７は、下方に開口している。そして、吐出部７７には加湿ダクト７８が接続されており、加湿ダクト７８には給気ダクト１８が取り付けられている。このため、ターボファン７５の吸込部７６から吸い込まれた空気は、加湿ダクト７８を介して給気ダクト１８に導かれ、給気ダクト１８を経て室内機２０の吹出口２４から吹き出されることになる。
【００５５】
（３）加湿運転時の空気流れ
図６は、吸着ロータ６３における空気流れを説明するための図である。通常は、空気調和機１０では、加湿運転は暖房運転と組み合わせて行われるが、暖房運転時の間のデフロスト運転時にも加湿運転が行なわれる。加湿運転時には、圧縮機３１及び室外ファン３９が駆動している。また、加湿運転時には、吸着ロータ６３がロータ駆動モータ６５の動力によって所定の回転速度で回転しており、ヒータ７１及びターボファン７５が駆動している。なお、吸着ロータ６３は回転するので、吸湿領域６３ａでの吸湿によって吸着ロータ６３に吸着された水分は吸着ロータ６３の回転に伴って放湿領域６３ｂに運ばれ、放湿領域６３ｂでの放湿によって吸着されていた水分が脱着されることで放湿領域６３ｂの周囲の空気が加湿される。また、本実施形態の吸着ロータ６３は、正面から見て反計回りに回転しており、吸湿領域６３ａとして機能した部分が回転してヒータ支持部材７４に対向する位置に来ると放湿領域６３ｂとして機能する。
【００５６】
加湿運転時には室外ファン３９が駆動しているため、室外熱交換器３３の背面側から室外熱交換器３３を通して吸い込まれた外気が室外機３０の正面側へと吹き出される空気流れが生成されている。吸着ロータ６３の吸湿領域６３ａは、室外熱交換器３３の第２部分３３ｂと対向するように送風機室Ｓ１に位置しているため、主に室外熱交換器３３の第２部分３３ｂを通った外気が吸着ロータ６３の吸湿領域６３ａを後方から前方に向かって通る。吸着ロータ６３の吸湿領域６３ａを通過した空気は、ベルマウス４６ａを介して吹出口４４から吹き出される。
【００５７】
また、加湿運転時には、ターボファン７５が駆動しているため、室外機３０から室内機２０へと向かう空気流れ、すなわち吸入口７２から吸い込まれた外気が、吸着ロータ６３及びヒータ７１を介して給気ダクト１８に吹き出される空気流れが生成されている。より詳しくは、吸入口７２から吸入された外気は、まず、吸着ロータ６３の前方に回り込み、前方から後方に向かって吸着ロータ６３を通ってヒータ７１に至る。そして、ヒータ７１に至った外気は、ヒータ７１の筐体の中を通過する。このとき、ヒータ７１によって外気が加熱される。ヒータ７１の筐体を通過した空気は、吸着ロータ６３の放湿領域６３ｂに進み、吸着ロータ６３の放湿領域６３ｂを後方から前方に向かって通る。このとき、吸着ロータ６３の放湿領域６３ｂは、ヒータ７１によって温度が上昇した空気にさらされることで放湿する。そして、吸着ロータ６３の放湿領域６３ｂを抜けた空気は、フレーム７０に形成されている開口７０ａを介してターボファン７５に吸い込まれ、加湿ダクト７８を介して給気ダクト１８へと吹き出される。このように吸着ロータ６３によって加湿された空気は、給気ダクト１８を経て室内機２０へと導かれる。
【００５８】
なお、この加湿ユニット６０では、図６に示すように、吸着ロータ６３のうち送風機室Ｓ１に位置する部分が吸湿領域６３ａになる。また、機械室Ｓ２に位置する吸着ロータ６３において、ヒータ７１よりも空気流れ下流側に位置する部分が放湿領域６３ｂとなり、それ以外の部分が再熱領域６３ｃとなる。再熱領域６３ｃは、吸入口７２から吸い込まれた外気が吸着ロータ６３を最初に通過する部分である。本実施形態の吸着ロータ６３は、正面視において反時計回りに回転しているため、吸湿領域６３ａ、放湿領域６３ｂ、再熱領域６３ｃの順に吸着ロータ６３の機能が入れ替わることになる。再熱領域６３ｃは、直前まで放湿領域６３ｂであった部分であることから、高温になっている。このため、吸入口７２から吸い込まれた外気は、再熱領域６３ｃを通過することで、再熱領域６３ｃの有する熱により加熱される。また、再熱領域６３ｃは外気が通過することで冷却され、吸着ロータ６３の回転により、その後、吸湿領域６３ａとなる。
【００５９】
（４）デフロスト運転時の動作
（４−１）室外ファン３９の動作
デフロスト運転時に、図８に示されているように、室外ファン３９を回転させて、室外熱交換器３３から吸着ロータ６３を通過して吹出口４４から吹出される気流を発生させる。具体的には、制御部８０が、逆サイクルデフロスト運転の運転開始を検知し、ファンモータ３９ａを回転させる。このとき、吸着ロータ６３には、デフロスト時に室外熱交換器３３で融けた霜の水分を多く含んだ空気が供給される。その結果、吸着ロータ６３は、多くの水分を貯えることができる。このとき、吸着ロータ６３が回転していれば、吸着ロータ６３の全体に渡って水分が吸着される。この場合には、加湿ユニット６０と連動していなくとも、吸着ロータ６３の吸湿領域６３ａは、多くの水分を吸着することができる。図８に示されている動作は、時刻ｔ１に逆サイクルデフロスト運転が開始されると、そこから所定の時間が経過して霜が融けて十分に水分が室外熱交換器３３を通過する外気に含まれる状態になった時刻ｔ２に室外ファン３９が回転を始める。そして、水分を多く含んだ空気を十分に加湿ユニット６０に供給した時刻ｔ３で室外ファン３９が停止する。そして、その後、時刻ｔ４に逆サイクルデフロスト運転が終了する。ここでは、室外ファン３９を逆サイクルデフロスト運転の終了前に停止したが、逆サイクルデフロスト運転の終了するまで室外ファン３９を回転させていてもよい。
【００６０】
（４−２）室外ファン３９と加湿ユニット６０の動作
加湿ユニット６０の加湿能力を効果的に向上させるには、室外ファン３９と加湿ユニット６０とが連動していることが好ましい。例えば、図９に示されているように、時刻ｔ１１に逆サイクルデフロスト運転が開始されると、運転の開始を制御部８０が検知する。そして、制御部８０は、第１所定時間が経過した時刻ｔ１２に室外ファン３９を駆動する。さらに、時刻ｔ１２から第２所定時間が経過した時刻ｔ１３に吸着ロータ６３を駆動する。その後、逆サイクルデフロスト運転が終了する時刻ｔ１４に、運転の終了を制御部８０が検知すると、制御部８０は、時刻ｔ１４にヒータ７１及びターボファン７５の駆動を開始させて、加湿ユニット６０の加湿運転を開始させる。このように制御された加湿ユニット６０では、加湿運転の開始時点で、多くの水分が吸着ロータ６３に吸着されている。吸着ロータ６３に吸着されている多くの水分を使うことができるため、加湿ユニット６０の加湿能力が向上する。
【００６１】
＜第２実施形態＞
（５）全体構成
第２実施形態に係る空気調和機は、正サイクルデフロスト運転を使って加湿ユニットの加湿能力を向上させる。そのため、図１０に示されている第２実施形態に係る空気調和機１０Ａは、正サイクルデフロスト運転が行なえるように、バイパス流路９１とバイパス弁９２とを備えている。第２実施形態に係る空気調和機１０Ａの構成は、バイパス流路９１とバイパス弁９２を除いて、第１実施形態に係る空気調和機１０の構成と同じである。バイパス流路９１は、一方端が圧縮機３１の吐出管に接続され、他方端が室外熱交換器３３と膨張機構３４との間の冷媒流路に接続されている。バイパス弁９２は、制御部９０によって開閉が制御されており、バイパス流路９１の開閉を行う。正サイクルデフロスト運転時には、圧縮機３１の吐出管からバイパス流路９１を通って室外熱交換器３３にホットガスが供給される。
【００６２】
（６）デフロスト運転時の動作
（６−１）室外ファン３９の動作
第２実施形態に係る空気調和機１０Ａにおいても、第１実施形態の空気調和機１０と同様に、デフロスト時に室外ファン３９を駆動することで、加湿ユニット６０の加湿能力を向上させることができるのは同じである。
【００６３】
（６−２）室外ファン３９と加湿ユニット６０の動作
加湿ユニット６０の加湿能力を効果的に向上させるには、室外ファン３９と加湿ユニット６０とが連動していることが好ましい。例えば、図１０に示されているように、時刻ｔ２１に正サイクルデフロスト運転が開始されると、運転の開始を制御部８０が検知する。そして、制御部８０は、第３所定時間が経過した時刻ｔ２２に室外ファン３９を駆動する。さらに、時刻ｔ２２から第４所定時間が経過した時刻ｔ２３に吸着ロータ６３を駆動する。またさらに、時刻ｔ２３から第５所定時間が経過した時刻ｔ２４にヒータ７１及びターボファン７５の駆動を開始させて、加湿ユニット６０の加湿運転を開始させる。その後、逆サイクルデフロスト運転が終了する時刻ｔ２５以降も室外ファン３９を駆動させたまま加湿ユニット６０の加湿運転を継続させる。このように制御された加湿ユニット６０では、加湿運転の開始時点で、多くの水分が吸着ロータ６３に吸着されている。吸着ロータ６３に吸着されている多くの水分を使うことができるため、加湿ユニット６０の加湿能力が向上する。また、正サイクルデフロスト運転中に加湿ユニット６０が加湿を行うことで、吸着ロータ６３の吸着能力を回復しつつ多くの水分を含んだ気流が室外熱交換器３３から供給されるので、加湿ユニット６０の加湿能力が大幅に向上する。
【００６４】
（７）特徴
（７−１）
上記第１実施形態及び第２実施形態のいずれにいても、空気調和機１０，１０Ａの冷媒回路のデフロスト運転時に、室外ファン３９が室外熱交換器３３を通過する気流を発生させるので、加湿能力が必要な所定時に、デフロスト運転を行い且つデフロスト運転中に室外ファンを回して吸着ロータ６３（吸着体の例）への水分の吸着量を増やすことができ、加湿のために室外空気から得る水分を増やして加湿能力を向上させることができる。
【００６５】
（７−２）
第１実施形態の空気調和機１０においては、逆サイクルデフロスト運転を行なった直後（時刻ｔ１４）に加湿運転を行なうので、逆デフロスト運転で霜が融けて生じる水分によって空気中に含まれる水分量が増加した室外空気を室外熱交換器３３に通過させることができる。その結果、加湿ユニット６０は、空気中の水分量が多いときに加湿運転をして高い加湿能力を発揮することができる。
【００６６】
（７−３）
また、第１実施形態の空気調和機１０においては、逆サイクルデフロスト運転の期間中に、ヒータ７１をオフして吸着ロータ６３から水分を脱離させる動作を止めた状態で吸着ロータ６３を回転させるので、吸着ロータ６３の全体に多くの水分を貯えることができる。
【００６７】
（７−４）
また、第１実施形態の空気調和機１０においては、吸着ロータ６３から水分を脱離させる動作を止めた状態でもある程度の水分の脱離が生じるが、吸着ロータ６３から水分を脱離させる動作を止めた状態で吸着ロータ６３を回転させているときに、室内側に向かって加湿された空気を送り出すターボファン７５（送出しファンの例）を停止させるので、吸着ロータ６３から室内側に向かって湿度の高い空気が流れるのを防止できる。従って、空気中の水分量が多くなっても、ターボファン７５の下流側で結露が生じるのを防止することができる。
【００６８】
（７−５）
第２実施形態の空気調和機１０Ａにおいては、加湿ユニット６０が正サイクルデフロスト運転期間中に加湿運転を行なうので、正サイクルデフロストで室外熱交換器３３に生じた水分を室外空気に含ませて加湿ユニット６０に与えることができ、加湿ユニット６０に高い加湿能力を発揮させことができる。
【００６９】
（７−６）
第１実施形態及び第２実施形態の空気調和機１０，１０Ａでは、吸着ロータ６３が送風機室Ｓ１に露出した露出部分つまり吸湿領域６３ａで水分の吸着を行うので、デフロスト運転の一部期間に室外ファン３９を駆動するだけで室外熱交換器３３を通過して吸着ロータ６３に空気が流れるような気流をデフロスト運転の一部期間に発生させることができる。このような適用では、加湿能力の向上を図るためのコストが削減される。
【符号の説明】
【００７０】
１０，１０Ａ    空気調和機
３３    室外熱交換器
３９    室外ファン
６０    加湿ユニット
６３    吸着ロータ
７１    ヒータ
７５    ターボファン（送出しファンの例）
Ｓ１    送風機室
Ｓ２    機械室
【先行技術文献】
【特許文献】
【００７１】
【特許文献１】特開２００８−１９０８２８号公報
【図１】
2016114344.tif 000003
【図２】
2016114344.tif 000004
【図３】
2016114344.tif 000005
【図４】
2016114344.tif 000006
【図５】
2016114344.tif 000007
【図６】
2016114344.tif 000008
【図７】
2016114344.tif 000009
【図８】
2016114344.tif 000010
【図９】
2016114344.tif 000011
【図１０】
2016114344.tif 000012
【図１１】
2016114344.tif 000013